【事件の表示】
　平成　７年特許願第　２２７４４号「電子黒板装置」拒絶査定不服審判事件〔平成　８年　８月３０日出願公開、特開平　８−２２３３３１〕について、次のとおり審決する。
【結　論】
　本件審判の請求は、成り立たない。
【理　由】
１．手続きの経緯・本願発明
　本願は、平成７年２月１０日の出願され、平成１６年１月２３日付けで拒絶査定がなされ、これに対し平成１６年２月２６日付けで拒絶査定に対する審判請求がなされたものであって、その請求項１−２に係る発明は、平成１５年４月７日付けの手続補正によって補正された明細書及び図面の記載からみて、特許請求の範囲の請求項１−２に記載されたとおりのものと認められるところ、請求項１に係る発明（以下、「本願発明」という。）は、次のとおりのものである。
　
　「【請求項１】画像を読み取り画像データに変換する読取装置と、
　前記読取装置から受信した画像データに基づいて印字を行う印字装置と、
　前記読取装置から受信した画像データを無線発信に適した信号に変換するデータ変換手段と、
　前記データ変換手段から受信した無線発信に適した信号に基づき無線発信を行う無線発信手段と、
　前記データ変換手段に対し無線発信を指示する発信制御手段と、
　前記発信制御手段又は前記読取装置に対して出力を指示する主制御手段と、
　前記発信制御手段に対して出力を指示するか前記読取装置に対して出力を指示するかの選択指示を前記主制御手段に対して出力する選択手段とを備えたことを特徴とする電子黒板装置。」
　
２．引用刊行物
　原審が拒絶の理由で引用した特開平５−３４１７１９号公報（平成５年１２月２４日出願公開）（以下、「引用例１」という。）には、図面と共に次の各記載がある。
　
（ア）「【０００６】
【課題を解決するための手段】本発明の磁気泳動表示装置は、泳動表示素子（マイクロカプセル４０４）を平面状に配列して表示面（４０）が形成されるとともに、回転可能に支持されて選択的な磁化により前記表示面に任意の表示を行なう表示ベルト（４）と、この表示ベルトを回転させて前記表示面を移動させる駆動手段（表示ベルト駆動機構６）と、
前記表示ベルトの前記表示面に選択的な磁気を作用させて任意の表示を行なう印字手段（印字機構８）とを備えた
【０００７】また、
本発明の磁気泳動表示装置は、前記表示ベルトに表示された表示を光学的に読み取る表示内容読取手段（表示内容読取機構１２）と、この表示内容読取手段で読み取った表示内容を記憶する記憶手段（表示制御部１４、ＲＡＭ１４２）とを備えた
【０００８】
【作用】この磁気泳動表示装置では、ローラによって回転する表示ベルトが用いられている。この表示ベルトは、ローラによって回転可能な柔軟性を持ち、無数の磁気泳動表示素子が配設された帯状体で構成され、選択的な磁化によって文字、記号、図形等の各種の表示を行なうことができる。
【０００９】そして、表示ベルトは、駆動手段によって回転させ、その表示面を移動させることができる。この結果、
印字手段を以て磁化による印字を行い、それを表示側に移動させることにより、視覚的にその表示内容を認識することができる
【００１０】また、
表示内容読取手段は、光学的にその表示内容を読み取り、表示データに変換する。この表示データは、記憶手段に取り込まれて再度読出し可能な表示データとして格納される。したがって、この記憶手段から読み出された表示データは印字手段に加えられ、その結果、表示ベルトに再び印字し、必要な表示を行なうことができる
　なお、下線は当審において附された。以下、同様。
　
（イ）「【００１４】また、この表示ベルト４には、
磁気を作用させて必要な表示を行なう印字手段として印字機構８が設置されている
【００１５】この表示ベルト４には、
その表示内容を光学的に読み取る読取手段としての表示内容読取機構１２が設置されている。この表示内容読取機構１２は、単なるビットイメージデータとしても処理できる表示内容を光学的に読み取って表示データに変換するデータ変換手段である
【００１６】これら表示ベルト駆動機構６、印字機構８、表示ベルト押圧機構１０及び表示内容読取機構１２には、記憶手段としての表示制御部１４が接続され、ベルト駆動、印字制御及びベルト押圧、表示内容読取り等の各制御は所定のプログラムに従って行なわれる。この表示ベルト４には、表示部２に併設されたプリンタ１５に表示情報が印字情報として出力され、
表示部２の表示ベルト４の表示内容はこのプリンタ１５を以て印字用紙に印字可能である
【００１７】そして、表示制御部１４には、外部制御手段としてホストコンピュータ１６が連携されており、この実施例では信号線１８を以てデータの授受を行なっている。
このホストコンピュータ１６には、データ入力手段としてのスキャナ２０が、また、表示情報を遠隔地とやりとりする通信手段としてモデム２２が接続されているとともに、ＦＡＸアダプタ２４を介してＦＡＸ２６が接続されている。従って、ホストコンピュータ１６には、表示ベルト４に表示すべきホストコンピュータ自身で作られたテキストデータとスキャナ２０、モデム２２、ＦＡＸ２６を通したデータが取り込まれ、また、表示ベルト４に生じさせた表示データは、モデム２２又はＦＡＸ２６等を以て電話回線等を通じて遠隔地に伝送される。ＦＡＸアダプタ２４から他のＦＡＸその他の通信手段を以て伝送することも可能である
　
（ウ）「【００２４】そして、
この表示ベルト４の表示データを光学的に読み取る読取部７０が設置されている。この実施例では、表示ベルト４の表示面が後方に移動した際に、その後方部側で表示データの読取りを行なっている。表示ベルト４上には光源としてのランプ７２が設置され、表示ベルト４からの反射光、即ち、表示データは、反射鏡７４で反射させて光電変換手段である光学的読取装置７６に加えられて読み取られた後、電気信号に変換される
【００２５】また、この表示部２の背面部には、図示しないが図１に示した表示制御部１４が内蔵されており、その詳細を図４に示している。即ち、
この表示制御部１４には、マイクロコンピュータ等が用いられており、全ての制御及び演算を司る中央処理装置（ＣＰＵ）１４０、読出し専用の記憶手段としてＲＯＭ１４１及び随時書込み可能な記憶手段としてＲＡＭ１４２が設置されている。ＲＯＭ１４１には、表示制御プログラム等が書き込まれ、ＲＡＭ１４２には必要に応じて取り込まれた各種のデータが一時的に書き込まれる。そして、インターフェイス１４３にはホストコンピュータ１６から表示データ等の各種のデータが加えられ、そのデータは入力部１４４を通してＣＰＵ１４０、ＲＡＭ１４２等に取り込まれる。また、読取部７０で読み取られた画面情報はＲＡＭ１４２に格納される
　
（エ）「【００３０】以上の構成に基づいて、表示動作を図７ないし図１０に示す表示制御プログラムを参照して説明する。この表示制御プログラムには、
表示モード
スキャニングモード
複写モード
消去モード
【００３１】
表示モードでは
【００３２】そして、ステップＳ６では、磁気ヘッド４８へのデータの転送に同期し、モータ４４を駆動して表示ベルト４を１ライン分回転させ、この結果、表示ベルト４には１ライン分の磁化による表示が行なわれる。ステップＳ７では、表示終了か否かが判断され、文字、図形等の必要な表示が完成するまで、ステップＳ５ないしステップＳ７の動作が繰り返された後、表示終了の場合には、図８のスキャニングモードに移行する。
【００３３】
このスキャニングモードでは
ステップＳ８で画面情報転送の要求か否かを判断し、画面の転送要求の場合にはステップＳ９に移行し、ランプ７２を点灯させる。次に、ステップＳ１０に移行し、表示ベルト４を１ライン分回転させ、ステップＳ１１では１ライン分の表示を読み取り、ステップＳ１２に移行する。ステップＳ１２では読み取ったデータはＲＡＭ１４２に記憶させ、ステップＳ１３では画面読取り終了か否かが判断され、読取りが終了するまでステップＳ１０〜Ｓ１３までの動作が繰り返し行なわれる。そして、ステップＳ１３で画面の読取りが終了した場合には、ステップＳ１４に移行してランプ７２を消灯させてステップＳ１５に移行し、その画面情報をホストコンピュータ１６に転送させる。この転送情報は、ホストコンピュータ１６を通してモデム２２又はＦＡＸ２６又は双方で遠隔地等に行なうことも可能である
【００３４】また、ステップＳ８で画面情報の転送が要求されていない場合には、ステップＳ１６に移行しこのモードを終了する。ステップＳ１６では転送終了か否かが判断され、転送が終了していない場合にはステップＳ１５に移行し、転送が完了するまで、ステップＳ１５、Ｓ１６の操作が行なわれる。そして、ステップＳ１６で転送終了と判断した場合には、図９に示す複写モードに移行する。
【００３５】
この複写モードでは
ステップＳ２３でプリントアウトが完了した場合には、ステップＳ２４に移行してランプ７２を消灯させて複写モードを完了する
【００３６】次に、
消去モードでは
表示ベルト４上の表示が消去され
　
（オ）「【００３７】次に、図１１は、図示しない表示部２の裏面に配設されたデジタイザによる情報読取りの場合のスキャニングモードを示している。このスキャニングモードは、図８に示したスキャニングモードに対応しているが、デジタイザを用いたことにより、ランプ点灯及び消灯がないこと、表示ベルト回転によるラインデータ読取りの替りにＸＹデータ情報読取り操作が常時あること等の点で異なっている。即ち、スタイラスペンで書き込まれた情報は、常時ステップＳ３１でＸＹデータ情報の読取りを行ない、画面の転送要求の場合にはステップＳ３２ではその読取りデータの処理を行い、ステップＳ３３でそのデータをＲＡＭ１４２に記憶させ、ステップＳ３４で画面情報転送の要求か否かを判断し、次に、ステップＳ３５でその画面情報のホストコンピュータ１６への転送を行なう。そして、ステップＳ３６ではその転送終了か否かを判断し、転送が終了した場合には図９の複写モードに移行するが、ＲＡＭ情報をそのままコピー出力して利用でき、その場合、ベルトの回転は不要である。従って、デジタイザを用いた場合にも、同様の情報の転送動作を行なうことができる。
【００３８】次に、図１２ないし図１３は、表示制御部１４とホストコンピュータ１６との連携手段についての他の実施例を示している。
前記実施例では、信号線１８を用いて必要なデータの授受を行なうようにしたが、表示制御部１４側に受信器９０を接続し、ホストコンピュータ１６側に無線モデム９１を設置することにより、通信媒体に電波、光等のワイヤレスでのデータ授受を行なうようにしても、同様の画面表示を行なうことができる
　
（カ）「【００４２】
【発明の効果】以上説明したように、本発明によれば、表示ベルトを任意に回転させることにより必要な画面情報をその表示面に印字して表示することができ、また、その回転駆動によって表示面を変転させ、画面情報の読取記憶手段として利用することができ、
いわゆる電子黒板、メッセージボード、広告看板等のメッセージ手段に広く用いることができる
【００４３】また、請求項２に記載の本発明によれば、
画面情報を任意に読み取って記憶手段に記憶させ、必要に応じて読み出すことにより、再度表示ベルトに表示させることができ、画面情報を繰り返し利用でき、効率的な情報伝達手段として用いることができる
　
　以上の記載からみて、引用例１には次のような発明が記載されているものと認められる。
　「泳動表示素子を平面状に配列して表示面が形成されるとともに、回転可能に支持されて選択的な磁化により前記表示面に任意の表示を行なう表示ベルト４と、
　この表示ベルト４を回転させて前記表示面を移動させる駆動手段６と、
　前記表示ベルト４の前記表示面に選択的な磁気を作用させて任意の表示を行なう印字手段８と、
　前記表示ベルト４に表示された表示を光学的に読み取る表示内容読取手段１２と、
　この表示内容読取手段１２で読み取った表示内容を記憶する記憶手段１４２とを備え、
　前記記憶手段１４２に記憶された画像データを、プリンタ１５により直接印刷出力するか、モデム２２により無線出力するか、またはＦＡＸ２６により通信回線上にファクシミリ出力することができる電子黒板として使用できる磁気泳動装置。」
　
３．対比
　本願発明と引用例１に記載された発明とを対比すると、
　引用例１に記載された発明の「表示内容読取機構１２」は、本願発明の「読取装置」に相当し、引用例１に記載された発明の「プリンタ１５」は、本願発明の「印字装置」に相当することは明らかである。
　
　そして、引用例１には、
(i)「【００１７】そして、表示制御部１４には、外部制御手段としてホストコンピュータ１６が連携されており、この実施例では信号線１８を以てデータの授受を行なっている。
このホストコンピュータ１６には、
表示情報を遠隔地とやりとりする通信手段としてモデム２２が接続されている
表示ベルト４に生じさせた表示データは、モデム２２又はＦＡＸ２６等を以て電話回線等を通じて遠隔地に伝送される。ＦＡＸアダプタ２４から他のＦＡＸその他の通信手段を以て伝送することも可能である
(ii)「【００３３】
このスキャニングモードでは
画面情報転送の要求か否かを判断し、画面の転送要求の場合には
読み取ったデータはＲＡＭ１４２に記憶させ
その画面情報をホストコンピュータ１６に転送させる
この転送情報は、ホストコンピュータ１６を通してモデム２２又はＦＡＸ２６又は双方で遠隔地等に行なうことも可能である
　との記載がなされており、これらの記載からみて、「モデム２２」は、搬送波を転送情報で変調して無線発信するものであるから、引用例１に記載された発明の「モデム２２」は、本願発明の「無線発信手段」に相当することは、明らかである。
　また、これらの記載及び前掲の記載（ア）〜（カ）からみて、引用例１には、表示制御部１４は、スキャニングモード時に、ホストコンピュータ１６から画面情報転送の要求があれば、表示部２から画面情報を読み取り、読み取った画面情報をＲＡＭ１４２に記憶させ、その後、ＲＡＭ１４２の画面情報をホストコンピュータ１６に転送させ、この転送情報は、ホストコンピュータ１６を通してモデム２２により遠隔地等に無線転送されることが記載されているから、(a)引用例１に記載された発明は、表示内容読取機構１２から受信した画像データを無線信号に適した信号に変換するデータ変換手段を有していることは明らかであり、(b)また、引用例１に記載された発明は、無線発信を指示する発信制御手段を有していることは明らかであり、(c)そして、引用例１に記載された発明は、表示内容読取機構１２に対して出力を指示する制御手段を有していることも明らかである。
　
　引用例１には、
(iii)「【００４２】【発明の効果】以上説明したように、本発明によれば、表示ベルトを任意に回転させることにより必要な画面情報をその表示面に印字して表示することができ、また、その回転駆動によって表示面を変転させ、画面情報の読取記憶手段として利用することができ、
いわゆる電子黒板、メッセージボード、広告看板等のメッセージ手段に広く用いることができる
との記載がなされており、この記載からみるに、引用例１には、磁気泳動装置を電子黒板として用いることが記載されているから、引用例１に記載された発明の「磁気泳動装置」は、本願発明の「電子黒板」に相当することも明らかである。
　
　そうすると、本願発明と引用例１に記載された発明とは、
（一致点）
　「画像を読み取り画像データに変換する読取装置と、
　前記読取装置から受信した画像データに基づいて印字を行う印字装置と、
　前記読取装置から受信した画像データを無線発信に適した信号に変換するデータ変換手段と、
　前記データ変換手段から受信した無線発信に適した信号に基づき無線発信を行う無線発信手段と、
　前記データ変換手段に対し無線発信を指示する発信制御手段と、
　前記発信制御手段又は前記読取装置に対して出力を指示する主制御手段とを備えたことを特徴とする電子黒板装置。」
である点で一致し次の点で相違する。
　
（相違点）
　本願発明は、発信制御手段に対して出力を指示するか読取装置に対して出力を指示するかの選択指示を主制御手段に対して出力する選択手段を有しているのに対し、引用例１に記載された発明は、発信制御手段に対して出力を指示するか表示内容読取機構１２に対して出力を指示するかの選択指示を主制御手段に対して出力する選択手段を有すると明記しない点。
　
４．当審の判断
　前記相違点について判断するに、
(1)一般のコンピュータを含むシステムにおいては、システムがプリント装置、無線発信装置、及びファクシミリ装置等の多数の出力装置を有する場合、画像データをどの出力装置に出力するかを指示する選択手段を有していることは、情報及び通信の技術分野においては、当業者の自明な技術常識である。
(2)引用例１に記載された発明においても、プリンタ１５、モデム２２、ＦＡＸ２６という複数の出力装置を有しており、表示部２から読み取った画像データは、その場でプリンタ１５により直ちに印刷出力されるか、またはモデム２２により無線発信されるか、またはＦＡＸ２６により通信回線上にファクシミリ出力されるかの複数の出力形態を採用している。
　以上の(1)及び(2)に示される事項に鑑みるとき、引用例１に記載された発明に、当業者には周知の前記技術常識を適用して、本願発明の如く、発信制御手段に対して出力を指示するか読取装置に対して出力を指示するかの選択指示を主制御手段に対して出力する選択手段を設けるようにすることは、当業者が適宜なし得ることである。
　
　なお、無線により画像データの通信を可能とする電子黒板は、引用例１の他にも、例えば、
　特開昭６３−０７５７９２号公報
　特開昭６２−１５４９４５号公報
　特開平０１−１２６７１９号公報
にその旨の記載があるように当業者には、周知である。
　
５．むすび
　以上のとおり、本願発明は、引用例１に記載された発明と周知技術とに基いて当業者が容易に発明をすることができたものであり、特許法第２９条第２項の規定により特許を受けることができないものであるから、他の請求項について検討するまでもなく、本願は特許を受けることができない。
　よって、結論のとおり審決する。